(57)【要約】【課題】  ユーザが良好な寝心地が得られる骨伝導スピーカ内蔵枕を提供する。【解決手段】  骨伝導スピーカ内蔵枕１０は、板状のベース部材１と、エラスティックポリマー材料の部材であり、柱状であり、ベース部材１上に互いに間隔を開けて設けられた複数の第一柱状部材２及び第二柱状部材３と、複数の第二柱状部材３に凹んで形成された収納凹部３ａに設けられた骨伝導スピーカ４と、を有する。骨伝導スピーカ４の上端は、第二柱状部材３の上面よりも下方に位置している。【選択図】  図３
2018015450.tif 000002
【特許請求の範囲】
【請求項１】
ユーザの頭部を支える枕に、前記ユーザの前記頭部に当接されて、振動を前記頭部の骨から前記ユーザの聴神経に伝える骨伝導スピーカが内蔵された骨伝導スピーカ内蔵枕であって、
板状のベース部材と、
エラスティックポリマー材料の部材であり、柱状であり、前記ベース部材上に互いに間隔を開けて設けられた複数の柱状部材と、
複数の前記柱状部材の全部又は一部の上部に凹んで形成された収納凹部に設けられた一又は複数の前記骨伝導スピーカと、を有する骨伝導スピーカ内蔵枕。
【請求項２】
前記骨伝導スピーカの上端は、前記骨伝導スピーカが設けられている前記柱状部材の上面よりも下方に位置している請求項１に記載の骨伝導スピーカ内蔵枕。
【請求項３】
ユーザが横臥又は着座して、前記ユーザが睡眠をとるための睡眠装置に、前記ユーザの頭部に当接されて、振動を前記頭部の骨から前記ユーザの聴神経に伝える骨伝導スピーカが内蔵された骨伝導スピーカ内蔵睡眠装置であって、
横臥又は着座した前記ユーザの身体を支持するユーザ支持部と、
前記ユーザ支持部に設けられた請求項１又は請求項２に記載の骨伝導スピーカ内蔵枕と、を有する骨伝導スピーカ内蔵睡眠装置。
【請求項４】
前記骨伝導スピーカに出力するための音源を記憶する音源記憶部と、
前記ユーザの生体情報を検出する生体情報検出部と、
前記生体情報検出部によって検出された前記生体情報に基づいて、前記音源記憶部に記憶された前記音源を信号として前記骨伝導スピーカへの出力を開始し、又は前記信号の前記骨伝導スピーカへの出力を停止する音源出力部と、を有する請求項３に記載の骨伝導スピーカ内蔵睡眠装置。
【請求項５】
前記音源記憶部には、前記ユーザの入眠を促す前記音源である入眠促進用音源が記憶され、
前記生体情報検出部によって検出された前記生体情報に基づいて、前記ユーザが睡眠中であるか否かを判断する睡眠判断部を有し、
前記音源出力部は、前記ユーザが前記ユーザ支持部に横臥又は着座してから、前記睡眠判断部が前記ユーザが睡眠中であると判断するまで、前記音源記憶部に記憶された前記入眠促進用音源を入眠促進用信号として、前記骨伝導スピーカに出力する請求項４に記載の骨伝導スピーカ内蔵睡眠装置。
【請求項６】
前記音源記憶部には、前記ユーザの覚醒を促す前記音源である覚醒用音源が記憶され、
前記ユーザが起床すべき時刻である起床時刻に達したか否かを判断する起床時刻到達判断部を有し、
前記音源出力部は、前記起床時刻到達判断部が、前記起床時刻に達したと判断した場合に、前記音源記憶部に記憶された前記覚醒用音源を覚醒用信号として、前記骨伝導スピーカに出力する請求項４又は請求項５に記載の骨伝導スピーカ内蔵睡眠装置。
【請求項７】
前記生体情報検出部によって検出された前記生体情報に基づいて、前記ユーザの睡眠深さを演算する睡眠深さ演算部を有し、
前記音源出力部は、前記睡眠深さ演算部によって演算された前記睡眠深さが、規定睡眠深さよりも深い場合に、前記音源記憶部に記憶された前記覚醒用音源を、前記音源出力部が出力する前記覚醒用信号よりも小さい出力レベルの熟睡阻害用信号として、前記骨伝導スピーカに出力する請求項６に記載の骨伝導スピーカ内蔵睡眠装置。
【発明の詳細な説明】
【技術分野】
【０００１】
本発明は、骨伝導スピーカ内蔵枕及び骨伝導スピーカ内蔵睡眠装置に関する。
【背景技術】
【０００２】
従来から特許文献１に示されるように、低反発ウレタンフォームで形成されたクッション体に骨伝導スピーカが内蔵された骨伝導スピーカ内蔵枕がある。この骨伝導スピーカ内蔵枕は、クッション体の上面に凹陥部を形成し、この凹陥部に不織布を配置し、この不織布の上面に骨伝導スピーカが配置されている。この不織布によって、骨伝導スピーカから発せられた振動に起因する空気伝播音が減衰され、空気伝播音の発生が抑制されるようになっている。
【先行技術文献】
【特許文献】
【０００３】
【特許文献１】特開２００６−１９７２５７号公報
【発明の概要】
【発明が解決しようとする課題】
【０００４】
特許文献１に示される骨伝導スピーカ内蔵枕では、骨伝導スピーカが不織布の上面に配置されているため、骨伝導スピーカがユーザの頭部に直接当たり、ユーザが不快に感じ、ユーザが良好な寝心地を得られない。また、不織布はクッション体と比べて柔軟性が無いことから、ユーザが頭部を骨伝導スピーカ内蔵枕にのせた場合に、骨伝導スピーカ内蔵枕がユーザの頭部にフィットしないため、ユーザが良好な寝心地を得られない。
【０００５】
本発明は、上述した問題を解消するためになされたもので、ユーザが良好な寝心地が得られる骨伝導スピーカ内蔵枕を提供することを目的とする。
【課題を解決するための手段】
【０００６】
上記の課題を解決するため、請求項１に係る骨伝導スピーカ内蔵枕の発明は、ユーザの頭部を支える枕に、前記ユーザの前記頭部に当接されて、振動を前記頭部の骨から前記ユーザの聴神経に伝える骨伝導スピーカが内蔵された骨伝導スピーカ内蔵枕であって、板状のベース部材と、エラスティックポリマー材料の部材であり、柱状であり、前記ベース部材上に互いに間隔を開けて設けられた複数の柱状部材と、複数の前記柱状部材の全部又は一部の上部に凹んで形成された収納凹部に設けられた一又は複数の前記骨伝導スピーカと、を有する。
【発明の効果】
【０００７】
このように、骨伝導スピーカは、複数の柱状部材の全部又は一部の上部に凹んで形成された収納凹部に設けられている。これにより、ユーザが頭部を骨伝導スピーカ内蔵枕にのせた場合に、ユーザの頭部が、骨伝導スピーカが設けられている柱状部材の上面で支えられる。このため、ユーザの頭部が強く骨伝導スピーカに当接することが抑制され、ユーザの不快感が抑制される。よって、良好な寝心地が得られる骨伝導スピーカ内蔵枕を提供することができる。
【図面の簡単な説明】
【０００８】
【図１】本実施形態の骨伝導スピーカ内蔵枕の斜視図である。
【図２】カバーを取り外した状態の本実施形態の骨伝導スピーカ内蔵枕の斜視図である。
【図３】本実施形態の骨伝導スピーカ内蔵枕の側面図である。
【図４】第二柱状部材の斜視図である。
【図５】図４のＩ−Ｉ断面図であり、第二柱状部材の断面図である。
【図６】骨伝導スピーカ内蔵睡眠装置の説明図である。
【図７】時間と、人の睡眠深さとの関係を表した睡眠リズムの説明図である。
【図８】「睡眠処理」のフローチャートである。
【図９】「睡眠処理」のフローチャートである。
【図１０】「仮眠処理」のフローチャートである。
【図１１】「仮眠処理」のフローチャートである。
【図１２】別の実施形態の骨伝導スピーカ内蔵睡眠装置の説明図である。
【図１３Ａ】別の実施形態の第二柱状部材の斜視図である。
【図１３Ｂ】別の実施形態の第二柱状部材の斜視図である。
【図１３Ｃ】別の実施形態の第二柱状部材の斜視図である。
【図１３Ｄ】別の実施形態の第二柱状部材の斜視図である。
【図１３Ｅ】別の実施形態の第二柱状部材の斜視図である。
【発明を実施するための形態】
【０００９】
（骨伝導スピーカ内蔵枕の説明）
以下に、図１〜図５を用いて、本実施形態に係る骨伝導スピーカ内蔵枕１０について説明する。図１〜図３に示すように、本実施形態の骨伝導スピーカ内蔵枕１０は、ベース部材１、複数の第一柱状部材２、複数の第二柱状部材３、複数の骨伝導スピーカ４、カバー５、配線集合部６、及び外部入力ケーブル７を有している。骨伝導スピーカ内蔵枕１０は、ユーザｕの頭部を支えるものである。ベース部材１は、板状である。ベース部材１は、エラスティックポリマー材料の部材であり、本実施形態では、発泡ウレタンエラスティックポリマー材料の部材である。なお、エラスティックポリマー材料とは、弾性を有するポリマー材料の総称である。
【００１０】
第一柱状部材２及び第二柱状部材３は、弾性を有するエラスティックポリマー材料の部材であり、円柱形状である。第一柱状部材２及び第二柱状部材３は、本実施形態では、スチレン系ベースポリマーにオイルを含有させたエラスティックポリマー材料の部材であり、スチレン系、ウレタン系、及びエチレン系から選択されたエラスティックポリマー材料の部材である。図２に示すように、複数の第二柱状部材３は、ベース部材１上の中央部分に、互いに間隔を開けて設けられている。複数の第一柱状部材２は、ベース部材１上の複数の第二柱状部材３が設けられている部分よりも外周側に、つまり、ベース部材１上の外周部分に、互いに間隔を開けて設けられている。なお、隣接する第一柱状部材２と第二柱状部材３は、互いに間隔があいている。
【００１１】
なお、第一柱状部材２及び第二柱状部材３の上端面から下方に作用する荷重が大きくなるに従って、第一柱状部材２及び第二柱状部材３が下方に圧縮されるように変形し、第一柱状部材２及び第二柱状部材３の上端面は受圧面積がより大きくなる。なお、隣接する第一柱状部材２の間隔、隣接する第二柱状部材３の間隔、及び隣接する第一柱状部材２と第二柱状部材３との間隔は以下のとおりである。つまり、この間隔は、第一柱状部材２や第二柱状部材３の上端面に小さい荷重が下方に作用した場合に、隣接する第一柱状部材２や第二柱状部材３の上端面同士が接触しないが、第一柱状部材２や第二柱状部材３の上端面に大きい荷重が下方に作用した場合に、隣接する第一柱状部材２や第二柱状部材３上端面同士が接触するように設定された間隔である。これにより、第一柱状部材２や第二柱状部材３の上端面に小さい荷重が下方に作用した場合に、隣接する第一柱状部材２や第二柱状部材３上端面同士が接触しないので、第一柱状部材２や第二柱状部材３が柔軟に下方に圧縮されて、第一柱状部材２や第二柱状部材３の上端面が沈み込む。一方で、第一柱状部材２や第二柱状部材３の上端面に大きい荷重が下方に作用した場合に、隣接する第一柱状部材２や第二柱状部材３上端面同士が接触して、第一柱状部材２や第二柱状部材３の上端面の下方への沈み込みが抑制される。このため、ユーザｕが頭部を骨伝導スピーカ内蔵枕１０にのせた場合に、ユーザｕが頭部を支えている第一柱状部材２や第二柱状部材３の沈み込み量が平均化される。この結果、ユーザｕの骨伝導スピーカ内蔵枕１０の使用感が快適なものとなる。
【００１２】
第一柱状部材２及び第二柱状部材３は、両面テープや、接着剤、或いは、溶着によって、ベース部材１上に取り付けられている。或いは、ベース部材１上に、取付用の凹部を凹ませて形成し、この取付用の凹部に第一柱状部材２及び第二柱状部材３を挿入して、第一柱状部材２や第二柱状部材３をベース部材１に取り付けてもよい。なお、ベース部材１の硬度は、第一柱状部材２及び第二柱状部材３の硬度よりも大きくなっている。これにより、第一柱状部材２及び第二柱状部材３の上面が下方への荷重を受けた場合に、ベース部材１と第一柱状部材２及び第二柱状部材３との取付部分の変形が抑制される。このため、ユーザｕが、骨伝導スピーカ内蔵枕１０に頭をのせた際に、第一柱状部材２及び第二柱状部材３がベース部材１に対して傾くことが抑制される。この結果、第一柱状部材２及び第二柱状部材３が上下方向に確実に圧縮されて、骨伝導スピーカ内蔵枕１０がユーザｕの頭部にフィットする。
【００１３】
図４に示すように、第二柱状部材３の上面には、扁平な円柱形状空間である収納凹部３ａが凹んで形成されている。収納凹部３ａは、底面３ａ１と周壁３ａ２とを有する。第二柱状部材３の側面には、第二柱状部材３の軸線方向（上下方向）に沿って信号線用凹部３ｂが凹んで形成されている。収納凹部３ａと信号線用凹部３ｂとは、互いに連通している。
【００１４】
図３において、紙面左方向を骨伝導スピーカ内蔵枕１０の前方、紙面右方向を骨伝導スピーカ内蔵枕１０の後方とする。図３に示すように、骨伝導スピーカ内蔵枕１０は、前方から後方に順に、第一突部１０ａ、凹部１０ｃ、第二突部１０ｂが形成されている。第二突部１０ｂの方が、第一突部１０ａよりも高さが高い。凹部１０ｃは、第一突部１０ａ及び第二突部１０ｂよりも高さが低い。各第一柱状部材２及び各第二柱状部材３の上面は、骨伝導スピーカ内蔵枕１０の上面の形状に沿って形成されている。ユーザｕが頭部を骨伝導スピーカ内蔵枕１０にのせると、頭部が凹部１０ｃによって支えられ、ユーザｕの首部が第一突部１０ａによって支えられ、ユーザｕの後頭部が第二突部１０ｂによって支えられる。このようにして、骨伝導スピーカ内蔵枕１０は、ユーザｕの首部から後頭部にかけてフィットする。
【００１５】
骨伝導スピーカ４は、収納凹部３ａの底面３ａ１に設けられ、収納凹部３ａに収納されている。骨伝導スピーカ４は、ユーザｕの頭部と当接されて、ユーザｕの頭部の骨に振動を付与することにより、この振動をユーザｕの頭部の骨からユーザｕの内耳にある聴神経に伝えて、ユーザｕに音を聞き取らせるものである。図５に示すように、骨伝導スピーカ４は、振動発生部４ａ、信号線４ｂ、及び振動体４ｃを有している。振動発生部４ａは、音声信号の入力により、音声信号を振動に変換する。振動体４ｃは、振動発生部４ａの上方に振動発生部４ａと接続して設けられ、振動発生部４ａによって発生された振動が伝達される。振動発生部４ａによって発生した振動が振動体４ｃを介して、ユーザｕの頭部の骨に伝達されて、ユーザｕは音を聞くことができる。なお、振動発生部４ａは、コイルとマグネットとから構成されたタイプや、圧電素子により構成されたタイプが含まれる。
【００１６】
図５に示すように、骨伝導スピーカ４の上端は、骨伝導スピーカ４が設けられている第二柱状部材３の上面よりも、所定寸法ｄ（数ｍｍ）下方に位置している。ユーザｕが頭部を骨伝導スピーカ内蔵枕１０にのせると、第二柱状部材３の上部が圧縮されて沈みこみ、ユーザｕの頭部がカバー５を介して骨伝導スピーカ４の振動体４ｃに接触する。このように、骨伝導スピーカ４の上端と第二柱状部材３の上面は離間しているので、ユーザｕが頭部を骨伝導スピーカ内蔵枕１０にのせた場合に、第二柱状部材３によってユーザｕの頭部が支えられる。このため、骨伝導スピーカ４が、収納凹部が形成されていない第一柱状部材２の上端面に取り付けられている構成と比較して、ユーザｕの頭部が骨伝導スピーカ４の振動体４ｃによって押し当てられる圧力が小さくなる。よって、骨伝導スピーカ４の振動体４ｃがユーザｕの頭部に強く押し当てられることによるユーザｕの圧迫感が低減される。
【００１７】
骨伝導スピーカ４は、収納凹部３ａに収納されている。これにより、骨伝導スピーカ４が発生させた振動が、収納凹部３ａの周壁３ａ２で減衰される。このため、骨伝導スピーカ４が発生させた振動に起因して発生する音が、収納凹部３ａの外部に漏洩することが抑制される。
【００１８】
図５に示すように、振動発生部４ａには、信号線４ｂの一端が接続している。信号線４ｂの他端は、配線集合部６（図２示）に接続している。信号線４ｂは、信号線用凹部３ｂに収納されている。外部入力ケーブル７は、入力コネクタ７ａと、この入力コネクタ７ａに接続したケーブル７ｂとから構成され、入力コネクタ７ａが音声信号を出力する外部機器の出力端子に着脱可能に接続し、外部機器から音声信号が入力されるものである。配線集合部６は、複数の第二柱状部材３の振動発生部４ａに接続している信号線４ｂと、外部入力ケーブル７のケーブル７ｂとを接続するものである。入力コネクタ７ａに入力された音声信号（電気信号）は、ケーブル７ｂ及び配線集合部６を介して、各振動発生部４ａに出力される。
カバー５は、伸縮性のある布で構成され、ベース部材１、第一柱状部材２、第二柱状部材３（骨伝導スピーカ４を含む）、及び配線集合部６を覆っている。
【００１９】
（骨伝導スピーカ内蔵睡眠装置）
以下に、図６を用いて、本実施形態の骨伝導スピーカ内蔵枕１０を備えた、骨伝導スピーカ内蔵睡眠装置１００の構成について説明する。本実施形態の骨伝導スピーカ内蔵睡眠装置１００は、骨伝導スピーカ内蔵枕１０、ベッド５０、生体情報検出センサ５３、振動発生装置５４、操作部５７、及び制御部６０を有している。骨伝導スピーカ内蔵睡眠装置１００は、ユーザｕが睡眠をとるためのものである。
【００２０】
ベッド５０は、マット５１及びベッドフレーム５２から構成されている。ベッドフレーム５２は、本体部５２ａ、脚部５２ｂ、及びベッドボード５２ｃとから構成されている。本体部５２ａは、四角枠形状のサイドフレーム５２ｄの上部に、床板５２ｅが取り付けられた構造である。脚部５２ｂは、柱形状であり、サイドフレーム５２ｄの四隅の下端に取り付けられている。ベッドボード５２ｃは、板形状であり、サイドフレーム５２ｄの長手方向の一端に取り付けられている。
【００２１】
マット５１（ユーザ支持部）は、サイドフレーム５２ｄの床板５２ｅ上に載置されている。マット５１は、横臥したユーザｕの身体を支持して、ユーザｕが睡眠時にその上面に横臥して睡眠するものである。マット５１上のベッドボード５２ｃ側の端部には、骨伝導スピーカ内蔵枕１０が載置されて設けられている。
【００２２】
生体情報検出センサ５３（生体情報検出部）は、ユーザｕの生体情報、つまり、ユーザｕの体動、ユーザｕの脈拍、ユーザｕの呼吸等の少なくとも１つの情報である生体情報を検出するセンサである。生体情報検出センサ５３は、本実施形態では、マット５１内に設けられている。なお、生体情報検出センサ５３のうち、ユーザｕの体動を検出するセンサが、ベッド５０が載置される床ｆと脚部５２ｂとの間、或いは、本体部５２ａや脚部５２ｂに設けられた歪みセンサや荷重センサであっても差し支え無い。
【００２３】
振動発生装置５４は、マット５１内に設けられ、音声信号の入力により振動を発生させ、ユーザｕの身体に振動を付与する装置である。振動発生装置５４は、コイルとマグネットとから構成されたタイプや、圧電素子により構成されたタイプが含まれる。振動発生装置５４に、後述する入眠促進用信号が入力されると、振動発生装置５４が振動し、ユーザｕの入眠が促される。また、振動発生装置５４に、後述する覚醒用信号が入力されると、振動発生装置５４が振動し、ユーザｕの覚醒が促される。
【００２４】
操作部５７は、制御部６０と有線又は無線の通信方式により接続され、ユーザｕの入力操作を受け付けるものである。ユーザｕは、操作部５７を操作することにより、ユーザｕが覚醒すべき起床時刻を設定することができる。
【００２５】
制御部６０は、骨伝導スピーカ内蔵睡眠装置１００を統括制御するものである。制御部６０は、生体情報取得部６０ａ、睡眠深さ演算部６０ｂ、睡眠判断部６０ｃ、起床時刻到達判断部６０ｄ、音源取得部６０ｅ、音源記憶部６０ｆ、音源出力部６０ｇを有している。
生体情報取得部６０ａは、生体情報検出センサ５３と無線又は有線の通信方式により接続し、生体情報検出センサ５３から生体情報を取得する。
睡眠深さ演算部６０ｂは、生体情報取得部６０ａが取得した生体情報に基づいて、ユーザｕの睡眠深さを演算する。例えば、生体情報がユーザｕの体動である場合には、睡眠深さ演算部６０ｂは、単位時間当たりのユーザｕの体動が少ない程、ユーザｕが深い睡眠状態にあると演算する。なお、ユーザｕの生体情報に基づいて睡眠深さを演算する方法は、特開２００２−２９１７１０号公報、特開２００９−１５３５５０号公報、特開２０１１−６７２４１号公報等に示されるように周知技術であるので、ここでの説明は割愛する。
【００２６】
睡眠判断部６０ｃは、生体情報取得部６０ａが取得した生体情報に基づいて、ユーザｕが睡眠中であるか覚醒中であるかを判断する。例えば、生体情報がユーザｕの体動である場合には、睡眠判断部６０ｃは、単位時間当たりのユーザｕの体動が規定回数以上である場合には、ユーザｕが覚醒中であると判断し、単位時間当たりのユーザｕの体動が規定回数未満である場合には、ユーザｕが睡眠中であると判断する。
起床時刻到達判断部６０ｄは、ユーザｕが起床すべき時刻である起床時刻に達したか否かを判断する。
【００２７】
音源取得部６０ｅは、外部の記憶媒体（フラッシュメモリー、音楽用ＣＤ等を含む）から、後述する入眠促進用音源及び覚醒用音源を取得する。音源取得部６０ｅは、無線通信によって、入眠促進用音源及び覚醒用音源を取得する実施形態であっても差し支え無い。
音源記憶部６０ｆは、音源取得部６０ｅによって取得され、骨伝導スピーカ４に出力するための入眠促進用音源及び覚醒用音源が記憶される。入眠促進用音源は、人の入眠や睡眠を促すような音声データである。このような入眠促進用音源は、１／ｆゆらぎの音であり、例えば、小川がせせらぐ音である。１／ｆゆらぎとは、パワースペクトル密度が周波数ｆ（ｆ＞０）に反比例するゆらぎのことである。覚醒用音源は、睡眠状態にある人を覚醒させるための音声データである。覚醒用音源は、人が心地よく覚醒するための音声データである。このような覚醒用音源は、１／ｆゆらぎの音であり、例えば、小鳥がさえずる音である。なお、覚醒用音源は、音楽やアラーム音等であっても差し支え無い。
【００２８】
音源出力部６０ｇは、生体情報検出センサ５３によって検出された生体情報に基づいて、音源記憶部６０ｆに記憶された音源を信号として骨伝導スピーカ４への出力を開始し、又は信号の骨伝導スピーカ４への出力を停止するものである。また、音源出力部６０ｇは、音源記憶部６０ｆに記憶された音源を信号として振動発生装置５４への出力を開始し、又は信号の振動発生装置５４への出力を停止する。なお、音源出力部６０ｇは、外部入力ケーブル７を介して、骨伝導スピーカ４と接続している。
【００２９】
以下に図７を用いて、人の睡眠リズムについて説明する。図７に示すように、睡眠深さは、浅いほうから深い方に向かって順番に、レム睡眠、第一睡眠深度、第二睡眠深度、第三睡眠深度、第四睡眠深度となっている。なお、第一睡眠深度、第二睡眠深度、第三睡眠深度、第四睡眠深度は、ノンレム睡眠である。図７に示すように、人は入眠後に、睡眠深度が徐々に深くなった後に、睡眠深度が徐々に浅くなり、再び睡眠深度が徐々に深くなるということを繰り返す睡眠リズムを有している。このように、睡眠リズムは、睡眠深さが入眠開始時刻からの経過時間の経過につれて周期的に増減する複数の睡眠サイクルを有している。人は、最後の睡眠サイクルにおいて、睡眠深さが浅くなって、覚醒に到る。場合によっては、図７の破線で示すように、人は、睡眠中において、睡眠深さが浅くなり過ぎて、睡眠の途中で覚醒する（以下、途中覚醒と略す）場合が有る。
【００３０】
（睡眠処理の概要）
以下に、制御部６０が実行する「睡眠処理」について説明する。「睡眠処理」は、ユーザｕが、骨伝導スピーカ内蔵睡眠装置１００上に横臥して睡眠をとる場合に実行される処理である。ユーザｕが、骨伝導スピーカ内蔵睡眠装置１００上に横臥して、起床時刻を設定すると、ユーザｕが入眠するまで、入眠促進用音源が入眠促進用信号として、骨伝導スピーカ４に出力される。これにより、ユーザｕの入眠が促され、ユーザｕは心地よく入眠することができる。そして、時刻が起床時刻に近づくと、覚醒用音源が覚醒用信号として、骨伝導スピーカ４に出力される。これにより、睡眠中のユーザｕは、覚醒することができ、寝過ごしを防止することができる。
【００３１】
（睡眠処理）
以下に、図８及び図９を用いて、「睡眠処理」のフローチャートについて説明する。 「睡眠処理」のフローチャートが開始すると、プログラムはステップＳ１０に進む。ステップＳ１０において、制御部６０は、ユーザｕの操作部５７の操作により、ユーザｕが「睡眠処理」を選択し、ユーザｕが覚醒すべき時刻である起床時刻を設定したと判断した場合には（ステップＳ１０：ＹＥＳ）、起床時刻到達判断部６０ｄは起床時刻を記憶し、プログラムをステップＳ１１に進める。一方で、制御部６０は、ユーザｕが「睡眠処理」を選択しておらず、ユーザｕが起床時刻を設定していないと判断した場合には（ステップＳ１０：ＮＯ）、ステップＳ１０の処理を繰り返す。
【００３２】
ステップＳ１１において、制御部６０は、生体情報検出センサ５３によってユーザｕの生体情報が検出され、ユーザｕがマット５１上に横臥している判断した場合には（ステップＳ１１：ＹＥＳ）、プログラムをステップＳ１２に進める。一方で、制御部６０は、生体情報検出センサ５３によってユーザｕの生体情報が検出されず、ユーザｕがマット５１上で横臥していないと判断した場合には（ステップＳ１１：ＮＯ）、ステップＳ１１の処理を繰り返す。
【００３３】
ステップＳ１２において、睡眠深さ演算部６０ｂは、生体情報検出センサ５３によって検出されたユーザｕの生体情報に基づいて、ユーザｕの睡眠深さの演算を開始する。ステップＳ１２が終了すると、制御部６０は、プログラムをステップＳ１３に進める。
ステップＳ１３において、音源出力部６０ｇは、音源記憶部６０ｆに記憶された入眠促進用音源を入眠促進用信号として、骨伝導スピーカ４及び振動発生装置５４に出力する。ステップＳ１３が終了すると、制御部６０はプログラムをステップＳ１４に進める。
【００３４】
ステップＳ１４において、睡眠判断部６０ｃは、生体情報検出センサ５３によって検出されたユーザｕの生体情報に基づいて、ユーザｕが入眠を開始したと判断した場合には（ステップＳ１４：ＹＥＳ）、プログラムをステップＳ１５に進める。一方で、睡眠判断部６０ｃは、ユーザｕが入眠を開始していないと判断した場合には（ステップＳ１４：ＮＯ）、ステップＳ１４の処理を繰り返す。
【００３５】
ステップＳ１５において、音源出力部６０ｇは、骨伝導スピーカ４及び振動発生装置５４に出力している入眠促進用信号の出力レベルを、徐々に小さくする。或いは、音源出力部６０ｇは、骨伝導スピーカ４及び振動発生装置５４に出力している入眠促進用信号の出力レベルを、最小の出力レベルにする。この最小の出力レベルとは、骨伝導スピーカ４において、ユーザｕが聞くことができる最小の出力レベルである。ステップＳ１５が終了すると、制御部６０はプログラムをステップＳ１６に進める。
【００３６】
ステップＳ１６において、睡眠判断部６０ｃは、生体情報検出センサ５３によって検出されたユーザｕの生体情報に基づいて、ユーザｕが睡眠中であると判断した場合には（ステップＳ１６：ＹＥＳ）、プログラムをステップＳ１７に進める。一方で、睡眠判断部６０ｃは、ユーザｕが睡眠中でないと判断した場合には（ステップＳ１６：ＮＯ）、プログラムをステップＳ１５に戻す。睡眠判断部６０ｃは、入眠を開始したユーザｕが短時間で覚醒しないと判断した場合に、ユーザｕが睡眠中であると判断する。つまり、睡眠判断部６０ｃは、ユーザｕが入眠を開始してから、ユーザｕの睡眠深さがレム睡眠の領域やノンレム睡眠の領域にある時間が規定時間（例えば５分）を経過した場合に、ユーザｕが睡眠中であると判断する。
ステップＳ１７において、音源出力部６０ｇは、骨伝導スピーカ４への入眠促進用信号の出力を停止する。ステップＳ１７が終了すると、制御部６０は、プログラムをステップＳ１８に進める。
【００３７】
ステップＳ１８において、睡眠判断部６０ｃは、生体情報検出センサ５３によって検出されたユーザｕの生体情報に基づいて、ユーザｕが途中覚醒したと判断した場合、或いは、ユーザｕがマット５１から離床したと判断した場合には（ステップＳ１８：ＹＥＳ）、プログラムをステップＳ２１に進める。一方で、睡眠判断部６０ｃは、ユーザｕが途中覚醒しておらず、且つ、ユーザｕがマット５１から離床していないと判断した場合には（ステップＳ１８：ＮＯ）、プログラムをステップＳ１９に進める。生体情報検出センサ５３が、マット５１内に設けられたものである場合には、睡眠判断部６０ｃは、生体情報検出センサ５３からの検出信号が規定時間以上無いと判断した場合に、ユーザｕがマット５１から離床したと判断する。また、睡眠判断部６０ｃは、生体情報検出センサ５３からの検出信号が規定時間の間に有ると判断した場合には、ユーザｕがマット５１から離床していないと判断する。生体情報検出センサ５３が、歪みセンサや荷重センサである場合には、睡眠判断部６０ｃは、歪みセンサや荷重センサからの信号が、所定値よりも小さくなったと判断した場合に、ユーザｕがマット５１から離床したと判断する。また、睡眠判断部６０ｃは、歪みセンサや荷重センサからの信号が、所定値以上である場合に、ユーザｕがマット５１から離床していないと判断する。
【００３８】
ステップＳ１９において、起床時刻到達判断部６０ｄは、ステップＳ１０においてユーザｕによって設定された起床時刻から規定時間（例えば、４５分）前の時刻に達したと判断した場合には（ステップＳ１９：ＹＥＳ）、プログラムをステップＳ３１に進める。一方で、起床時刻到達判断部６０ｄは、起床時刻から規定時間前の時刻に達していないと判断した場合には（ステップＳ１９：ＮＯ）、プログラムをステップＳ１８に戻す。
【００３９】
ステップＳ２１において、制御部６０は、ユーザｕが起床の意思が有ると判断した場合には（ステップＳ２１：ＹＥＳ）、「睡眠処理」を終了する。一方で、制御部６０は、ユーザｕが起床の意思が無いと判断した場合には（ステップＳ２１：ＮＯ）、プログラムをステップＳ２２に進める。制御部６０は、ユーザｕが操作部５７を操作することにより、「睡眠処理」を停止させることを選択した場合には、ユーザｕが起床の意思が有ると判断する。
【００４０】
ステップＳ２２において、制御部６０は、生体情報検出センサ５３によって検出されたユーザｕの生体情報に基づいて、ユーザｕがマット５１から離床してからの時間が規定時間（例えば、１５分）に達したと判断した場合には（ステップＳ２２：ＹＥＳ）、「睡眠処理」を終了させる。制御部６０は、ユーザｕがマット５１から離床してからの時間が規定時間に達していないと判断した場合には（ステップＳ２２：ＮＯ）、プログラムをステップＳ２３に進める。
【００４１】
ステップＳ２３において、制御部６０は、生体情報検出センサ５３によって検出されたユーザｕの生体情報に基づいて、ユーザｕがマット５１上にいると判断した場合には（ステップＳ２３：ＹＥＳ）、プログラムをステップＳ２４に進める。一方で、制御部６０は、ユーザｕがマット５１上にいないと判断した場合には（ステップＳ２３：ＮＯ）、プログラムをステップＳ２１に戻す。生体情報検出センサ５３が、マット５１内に設けられたものである場合には、制御部６０は、生体情報検出センサ５３からの検出信号が有る場合に、ユーザｕがマット５１上にいると判断し、そうで無い場合に、ユーザｕがマット５１上にいないと判断する。また、生体情報検出センサ５３が歪みセンサや荷重センサである場合には、制御部６０は、歪みセンサや荷重センサからの信号が、所定値よりも大きいと判断した場合に、ユーザｕがマット５１上にいると判断し、そうで無い場合には、ユーザｕがマット５１上にいないと判断する。
【００４２】
ステップＳ２４において、睡眠判断部６０ｃは、生体情報検出センサ５３によって検出されたユーザｕの生体情報に基づいて、ユーザｕが睡眠中であると判断した場合には（ステップＳ２４：ＹＥＳ）、プログラムをステップＳ１８に戻す。一方で、睡眠判断部６０ｃは、ユーザｕが睡眠中でないと判断した場合には（ステップＳ２４：ＮＯ）、プログラムをステップＳ２５に進める。
【００４３】
ステップＳ２５において、制御部６０は、ユーザｕが、操作部５７を操作することにより、起床時刻を変更したと判断した場合には（ステップＳ２５：ＹＥＳ）、プログラムをステップＳ２６に進める。一方で、制御部６０は、ユーザｕが、起床時刻を変更していないと判断した場合には（ステップＳ２５：ＮＯ）、プログラムをステップＳ２７に進める。
ステップＳ２６において、制御部６０は、ステップＳ２５において、変更した起床時刻を記憶し、プログラムをステップＳ１３に戻す。これにより、ステップＳ１３において、骨伝導スピーカ４に入眠促進用信号が出力されて、ユーザｕの入眠が促される。
【００４４】
ステップＳ２７において、睡眠判断部６０ｃは、生体情報検出センサ５３によって検出されたユーザｕの生体情報に基づいて、ユーザｕの覚醒時間が規定時間（例えば、１５分）に達したと判断した場合には（ステップＳ２７：ＹＥＳ）、プログラムをステップＳ１３に戻す。これにより、ステップＳ１３において、骨伝導スピーカ４に入眠促進用信号が出力されて、ユーザｕの入眠が促される。一方で、睡眠判断部６０ｃは、ユーザｕの覚醒時間が規定時間に達していないと判断した場合には（ステップＳ２７：ＮＯ）、プログラムをステップＳ２１に戻す。
【００４５】
ステップＳ３１において、睡眠深さ演算部６０ｂは、生体情報検出センサ５３によって検出されたユーザｕの生体情報に基づいて、ユーザｕの睡眠深さが規定の睡眠深度（例えば、第二睡眠深度）以上であると判断した場合には（ステップＳ３１：ＹＥＳ）、プログラムをステップＳ３２に進める。一方で、睡眠深さ演算部６０ｂは、ユーザｕの睡眠深さが規定の睡眠深度未満であると判断した場合には（ステップＳ３１：ＮＯ）、プログラムをステップＳ４２に進める。
【００４６】
ステップＳ３２において、音源出力部６０ｇは、音源記憶部６０ｆに記憶された覚醒用音源を覚醒用信号として、骨伝導スピーカ４に出力する処理を開始する。音源出力部６０ｇは、覚醒用信号を、ユーザｕが聞くことが可能な最小出力レベルから出力し、徐々に出力レベルを大きくする。これにより、ユーザｕの睡眠深さは、徐々に浅くなる。このため、ユーザｕの睡眠深さが急激に浅くなる場合と比較して、ユーザｕは、心地よく覚醒することができる。ステップＳ３２が終了すると、制御部６０は、プログラムをステップＳ３３に進める。
【００４７】
ステップＳ３３において、睡眠判断部６０ｃは、生体情報検出センサ５３によって検出されたユーザｕの生体情報に基づいて、ユーザｕが覚醒したと判断した場合には（ステップＳ３３：ＹＥＳ）、音源出力部６０ｇによる覚醒用信号の骨伝導スピーカ４への出力を停止させて、「睡眠処理」を終了させる。一方で、睡眠判断部６０ｃは、ユーザｕが覚醒していないと判断した場合には（ステップＳ３３：ＮＯ）、プログラムをステップＳ３４に進める。
【００４８】
ステップＳ３４において、起床時刻到達判断部６０ｄは、現在の時刻がユーザｕが設定した起床時刻に達したと判断した場合には（ステップＳ３４：ＹＥＳ）、プログラムをステップＳ３５に進める。一方で、起床時刻到達判断部６０ｄは、現在の時刻がユーザｕが設定した起床時刻に達していないと判断した場合には（ステップＳ３４：ＮＯ）、プログラムをステップＳ３３に戻す。
【００４９】
ステップＳ３５において、音源出力部６０ｇは、音源記憶部６０ｆに記憶された覚醒用音源を覚醒用信号して、最大出力レベルで骨伝導スピーカ４に出力することを開始する。そして、音源出力部６０ｇは、振動発生装置５４に覚醒用信号の出力を開始する。これにより、骨伝導スピーカ４が大きく振動するとともに、振動発生装置５４も振動するので、ユーザｕの覚醒がより一層促される。ステップＳ３５が終了すると、制御部６０は、プログラムをステップＳ３６に進める。
【００５０】
ステップＳ３６において、睡眠判断部６０ｃは、生体情報検出センサ５３によって検出されたユーザｕの生体情報に基づいて、ユーザｕが覚醒したと判断した場合には（ステップＳ３６：ＹＥＳ）、音源出力部６０ｇによる覚醒用信号を最大出力レベルで骨伝導スピーカ４に出力することを停止させる。また、睡眠判断部６０ｃは、音源出力部６０ｇによる覚醒用信号を振動発生装置５４に出力することを停止させる。このようにして、「睡眠処理」が終了する。一方で、睡眠判断部６０ｃは、ユーザｕが覚醒していないと判断した場合には（ステップＳ３６：ＮＯ）、プログラムをステップＳ３７に進める。
【００５１】
ステップＳ３７において、制御部６０は、ステップＳ３５において、音源出力部６０ｇが覚醒用信号を最大出力レベルで骨伝導スピーカ４に出力することを開始してから、規定時間（例えば１５分）が経過したと判断した場合には（ステップＳ３７：ＹＥＳ）、音源出力部６０ｇによる覚醒用信号を最大出力レベルで骨伝導スピーカ４に出力することを停止させる。また、制御部６０は、音源出力部６０ｇによる覚醒用信号を振動発生装置５４に出力することを停止させる。このようにして、「睡眠処理」が終了する。一方で、制御部６０は、ステップＳ３５において、音源出力部６０ｇが覚醒用信号を最大出力レベルで骨伝導スピーカ４に出力することを開始してから、規定時間が経過していないと判断した場合には（ステップＳ３７：ＮＯ）、プログラムをステップＳ３６に戻す。
【００５２】
ステップＳ４２において、音源出力部６０ｇは、音源記憶部６０ｆに記憶された覚醒用音源を覚醒用信号として、最小出力レベルで、骨伝導スピーカ４に出力する処理を開始する。このように、ユーザｕの睡眠深さが、規定未満の睡眠深さである場合には（ステップＳ３１：ＮＯ）、ステップＳ４２において、覚醒用信号が、最小出力レベルで、骨伝導スピーカ４に出力される。これにより、比較的小さな出力レベルの覚醒用信号が骨伝導スピーカ４に出力されることにより、起床時刻前のユーザＵが深い睡眠に移行することなくさわやかに覚醒できる。
【００５３】
ステップＳ４３〜ステップＳ４７の処理は、それぞれ、上記のステップＳ３３〜ステップＳ３７の処理と同一であるので、その説明を省略する。
【００５４】
（仮眠処理の概要）
以下に、制御部６０が実行する「仮眠処理」について説明する。「仮眠処理」は、ユーザｕが、骨伝導スピーカ内蔵睡眠装置１００上に横臥して短時間（例えば、数十分から数時間）の仮眠をとる場合に実行される処理である。ユーザｕが、骨伝導スピーカ内蔵睡眠装置１００上に横臥して、起床時刻を設定すると、ユーザｕが入眠するまで、入眠促進用音源が入眠促進用信号として、骨伝導スピーカ４に出力される。これにより、ユーザｕの入眠が促され、ユーザｕは心地よく入眠することができる。そして、ユーザｕの睡眠深さが規定の睡眠深度（例えば第二睡眠深度）よりも深い睡眠深度（例えば、第三睡眠深度）となると、覚醒用音源が覚醒用信号よりも小さい出力レベルの熟睡阻害用信号として、骨伝導スピーカ４に出力される。これにより、ユーザｕが熟睡することが抑制される。このため、短時間の仮眠をとっているユーザｕが、熟睡している状態で覚醒されることによるユーザｕの不快感を抑制することができる。そして、時刻が起床時刻に達すると、覚醒用音源が覚醒用信号として、骨伝導スピーカ４に出力される。これにより、睡眠中のユーザｕは、覚醒することができ、寝過ごしを防止することができる。
【００５５】
（仮眠処理）
以下に、図１０及び図１１を用いて、「仮眠処理」のフローチャートについて説明する。「仮眠処理」が開始すると、プログラムはステップＳ１１０に進む。
ステップＳ１１０において、制御部６０は、ユーザｕの操作部５７の操作により、ユーザｕが「仮眠処理」を選択し、ユーザｕが覚醒すべき時刻である起床時刻を設定したと判断した場合には（ステップＳ１１０：ＹＥＳ）、起床時刻を記憶し、プログラムをステップＳ１１１に進める。一方で、制御部６０は、ユーザｕが「睡眠処理」を選択しておらず、ユーザｕが起床時刻を設定していないと判断した場合には（ステップＳ１１０：ＮＯ）、ステップＳ１１０の処理を繰り返す。
【００５６】
ステップＳ１１１において、制御部６０は、生体情報検出センサ５３によって検出されたユーザｕの生体情報に基づいて、ユーザｕがマット５１上に横臥している判断した場合には（ステップＳ１１１：ＹＥＳ）、プログラムをステップＳ１１２に進める。一方で、制御部６０は、ユーザｕがマット５１上で横臥していないと判断した場合には（ステップＳ１１１：ＮＯ）、ステップＳ１１１の処理を繰り返す。
【００５７】
「仮眠処理」のステップＳ１１２〜ステップＳ１１５の処理は、それぞれ、図８に示す「睡眠処理」のステップＳ１２〜ステップＳ１５の処理と同一であるので、その説明を省略する。ステップＳ１１５が終了すると、制御部６０は、プログラムをステップＳ１１６に進める。
【００５８】
ステップＳ１１６において、睡眠深さ演算部６０ｂは、生体情報検出センサ５３によって検出されたユーザｕの生体情報に基づいて、ユーザｕの睡眠深さが規定の睡眠深度（例えば、第二睡眠深度）に達したと判断した場合には（ステップＳ１１６：ＹＥＳ）、プログラムをステップＳ１１７に進める。睡眠深さ演算部６０ｂは、ユーザｕの睡眠深さが規定の睡眠深度に達していないと判断した場合には（ステップＳ１１６：ＮＯ）、プログラムをステップＳ１１５に戻す。
【００５９】
ステップＳ１１７において、音源出力部６０ｇは、骨伝導スピーカ４への入眠促進用信号の出力を停止する。ステップＳ１１７が終了すると、制御部６０は、プログラムをステップＳ１１８に進める。
【００６０】
ステップＳ１１８において、睡眠判断部６０ｃは、生体情報検出センサ５３によって検出されたユーザｕの生体情報に基づいて、ユーザｕが途中覚醒したと判断した場合、或いは、ユーザｕがマット５１から離床したと判断した場合には（ステップＳ１１８：ＹＥＳ）、プログラムをステップＳ１２１に進める。一方で、睡眠判断部６０ｃは、ユーザｕが途中覚醒しておらず、且つ、ユーザｕがマット５１から離床していないと判断した場合には（ステップＳ１１８：ＮＯ）、プログラムをステップＳ１３１に進める。ステップＳ１１８における睡眠判断部６０ｃの判断方法は、上述した図８のステップＳ１８の判断方法と同一である。
【００６１】
ステップＳ１３１において、睡眠深さ演算部６０ｂは、生体情報検出センサ５３によって検出されたユーザｕの生体情報に基づいて、ユーザｕの睡眠深さが規定の睡眠深度（例えば、第二睡眠深度）以上であると判断した場合には、プログラムをステップＳ１３２に進める。一方で、睡眠深さ演算部６０ｂは、生体情報検出センサ５３によって検出されたユーザｕの生体情報に基づいて、ユーザｕの睡眠深さが規定の睡眠深度よりも浅いと判断した場合には、プログラムをステップＳ１３４に進める。
【００６２】
ステップＳ１３２において、睡眠深さ演算部６０ｂは、生体情報検出センサ５３によって検出されたユーザｕの生体情報に基づいて、ユーザｕの睡眠深さが規定の睡眠深度（例えば、第二睡眠深度）から更に深い睡眠深さ（例えば第三睡眠深度）に移行中又は移行済みであると判断した場合には、プログラムをステップＳ１３３に進める。一方で、睡眠深さ演算部６０ｂは、ユーザｕの睡眠深さが規定の睡眠深度から更に深い睡眠深さに移行中で無いと判断した場合には、プログラムをステップＳ１１８に戻す。
【００６３】
ステップＳ１３３において、音源出力部６０ｇは、音源記憶部６０ｆに記憶された覚醒用音源を熟睡阻害用信号として、この熟睡阻害用信号を最小出力で骨伝導スピーカ４に出力することを開始する。熟睡阻害用信号の出力レベルは、覚醒用信号の出力レベルよりも小さい出力レベルである。このため、ユーザｕが覚醒すること無く、ユーザｕの睡眠深さがより深い睡眠深さに移行することが阻害される。なお、音源出力部６０ｇは、睡眠阻害用信号の骨伝導スピーカ４への出力を、規定時間（数分）経過した後、又は規定の睡眠深さに回復したと判断したら停止する。ステップＳ１３３が終了すると、制御部６０は、プログラムをステップＳ１１８に戻す。
【００６４】
ステップＳ１３４において、起床時刻到達判断部６０ｄは、ステップＳ１１０においてユーザｕによって設定された起床時刻から規定時間（例えば、１分）前の時刻に達したと判断した場合には（ステップＳ１９：ＹＥＳ）、プログラムをステップＳ１４１に進める。一方で、起床時刻到達判断部６０ｄは、起床時刻から規定時間前の時刻に達していないと判断した場合には（ステップＳ１３４：ＮＯ）、プログラムをステップＳ１１８に戻す。
【００６５】
ステップＳ１４１において、音源出力部６０ｇは、音源記憶部６０ｆに記憶された覚醒用音源を覚醒用信号として、骨伝導スピーカ４に出力する処理を開始する。音源出力部６０ｇは、覚醒用信号を、ユーザｕが聞くことが可能な最小出力レベルから出力し、徐々に出力レベルを大きくする。これにより、ユーザｕの睡眠深さは、徐々に浅くなる。このため、ユーザｕの睡眠深さが急激に浅くなる場合と比較して、ユーザｕは、心地よく覚醒することができる。ステップＳ１４１が終了すると、制御部６０は、プログラムをステップＳ１４２に進める。
【００６６】
ステップＳ１４２において、睡眠判断部６０ｃは、生体情報検出センサ５３によって検出されたユーザｕの生体情報に基づいて、ユーザｕが覚醒したと判断した場合には（ステップＳ１４２：ＹＥＳ）、音源出力部６０ｇによる骨伝導スピーカ４への覚醒用信号の出力を停止させて、「仮眠処理」が終了する。一方で、睡眠判断部６０ｃは、ユーザｕが覚醒していないと判断した場合には（ステップＳ１４２：ＮＯ）、プログラムをステップＳ１４３に進める。
【００６７】
ステップＳ１４３において、起床時刻到達判断部６０ｄは、現在の時刻がユーザｕが設定した起床時刻に達したと判断した場合には（ステップＳ１４３：ＹＥＳ）、プログラムをステップＳ１４４に進める。一方で、起床時刻到達判断部６０ｄは、現在の時刻がユーザｕが設定した起床時刻に達していないと判断した場合には（ステップＳ１４３：ＮＯ）、プログラムをステップＳ１４２に戻す。
【００６８】
ステップＳ１４４において、音源出力部６０ｇは、覚醒用信号を最大出力レベルで骨伝導スピーカ４に出力することを開始する。そして、音源出力部６０ｇは、振動発生装置５４に覚醒用信号の出力を開始する。これにより、骨伝導スピーカ４が大きく振動し、振動発生装置５４も振動するので、ユーザｕの覚醒がより一層促される。ステップＳ１４４が終了すると、制御部６０は、プログラムをステップＳ１４５に進める。
【００６９】
ステップＳ１４５において、睡眠判断部６０ｃは、生体情報検出センサ５３によって検出されたユーザｕの生体情報に基づいて、ユーザｕが覚醒したと判断した場合には（ステップＳ１４５：ＹＥＳ）、音源出力部６０ｇによる覚醒用信号を最大出力レベルで骨伝導スピーカ４に出力することを停止させる。また、睡眠判断部６０ｃは、音源出力部６０ｇによる覚醒用信号を振動発生装置に出力することを停止させる。このようにして、「睡眠処理」が終了する。一方で、睡眠判断部６０ｃは、ユーザｕが覚醒していないと判断した場合には（ステップＳ１４５：ＮＯ）、プログラムをステップＳ１４６に進める。
【００７０】
ステップＳ１４６において、制御部６０は、ステップＳ１４４において、音源出力部６０ｇが覚醒用信号を最大出力レベルで骨伝導スピーカ４に出力することを開始してから、規定時間（例えば１５分）が経過したと判断した場合には（ステップＳ１４６：ＹＥＳ）、音源出力部６０ｇによる覚醒用信号を最大出力レベルで骨伝導スピーカ４に出力することを停止させる。また、制御部６０は、音源出力部６０ｇによる、覚醒用信号を振動発生装置５４に出力することを停止させる。このようにして、「睡眠処理」が終了する。一方で、制御部６０は、ステップＳ１４４において、音源出力部６０ｇが覚醒用信号を最大出力レベルで骨伝導スピーカ４に出力することを開始してから、規定時間が経過していないと判断した場合には（ステップＳ１４６：ＮＯ）、プログラムをステップＳ１４５に戻す。
【００７１】
（本実施形態の効果）
上記の説明から明らかなように、骨伝導スピーカ４は、複数の第二柱状部材３の上部に凹んで形成された収納凹部３ａに設けられている。これにより、ユーザｕが頭部を骨伝導スピーカ内蔵枕１０にのせた場合に、ユーザｕの頭部が、骨伝導スピーカ４が設けられている第二柱状部材３の上面で支えられる。このため、ユーザｕの頭部が強く骨伝導スピーカ４に当接することが抑制され、ユーザｕの不快感が抑制される。よって、良好な寝心地が得られる骨伝導スピーカ内蔵枕１０を提供することができる。
【００７２】
また、複数の第一柱状部材２及び複数の第二柱状部材３は、エラスティックポリマー材料の部材であり、互いに間隔を開けてベース部材１上に設けられている。このように、隣接する第一柱状部材２及び第二柱状部材３は、水平方向に離間しているので、第一柱状部材２や第二柱状部材３が軸線方向（上下方向）に圧縮された場合に、第一柱状部材２や第二柱状部材３が水平方向に変形することができ、第一柱状部材２や第二柱状部材３がより、上下方向に変形することができる。このため、ユーザｕが頭部を骨伝導スピーカ内蔵枕１０にのせた場合に、骨伝導スピーカ内蔵枕１０がユーザｕの頭部にフィットする。よって、頭部を骨伝導スピーカ内蔵枕１０にのせたユーザｕは、良好な寝心地が得られる。
【００７３】
図５に示すように、骨伝導スピーカ４の上端は、骨伝導スピーカ４が設けられている第二柱状部材３の上面よりも下方に位置している。このため、ユーザｕが頭部を骨伝導スピーカ内蔵枕１０にのせた場合に、ユーザｕの頭部が最初に骨伝導スピーカ４が設けられている第二柱状部材３の上面に当たる。このため、ユーザｕの頭部が最初に骨伝導スピーカ４に当たる構成と比較して、ユーザｕが不快感を覚えにくい。また、骨伝導スピーカ４が設けられている第二柱状部材３が骨伝導スピーカ４の上端と第二柱状部材３の上面との距離だけ圧縮される分だけ、ユーザｕの頭部が支えられ、ユーザｕの頭が強く骨伝導スピーカ４に当接することが抑制される。このため、ユーザｕの不快感が抑制される。
【００７４】
図６に示すように、骨伝導スピーカ内蔵睡眠装置１００は、横臥したユーザｕの身体を支持するマット５１（ユーザ支持部）と、マット５１に設けられた骨伝導スピーカ内蔵枕１０とを有している。これにより、マット５１（ユーザ支持部）に横臥したユーザｕは、骨伝導スピーカ４から入眠促進用の音声、覚醒用の音声、或いは音楽等の音声を聞くことができる。
【００７５】
音源出力部６０ｇは、生体情報検出センサ５３によって検出された生体情報に基づいて、音源記憶部６０ｆに記憶された音源を信号として骨伝導スピーカ４への出力を開始し、又は信号の骨伝導スピーカ４への出力を停止する。これにより、ユーザｕの生体情報に基づいて、音源出力部６０ｇは、ユーザｕに適した音声信号である入眠促進用信号や熟睡阻害用信号を骨伝導スピーカ４に出力することができる。
【００７６】
音源出力部６０ｇは、ユーザｕがマット５１（ユーザ支持部）に横臥し（図８のステップＳ１１：ＹＥＳ）、睡眠判断部６０ｃがユーザｕが睡眠中であると判断するまで（図８のステップＳ１６：ＹＥＳ）、音源記憶部６０ｆに記憶された入眠促進用音源を入眠促進用信号として、骨伝導スピーカ４に出力する（図８のステップＳ１３）。これにより、マット５１（ユーザ支持部）に横臥したユーザｕの入眠が促され、ユーザｕは心地よく入眠することができる。
【００７７】
音源出力部６０ｇは、起床時刻到達判断部６０ｄが、起床時刻に達したと判断した場合に（図９のステップＳ３４：ＹＥＳ）、音源記憶部６０ｆに記憶された覚醒用音源を覚醒用信号として、骨伝導スピーカ４に出力する（図９のステップＳ３５）。これにより、マット５１（ユーザ支持部）に横臥した睡眠中のユーザｕは、覚醒することができ、寝過ごしを防止することができる。
【００７８】
音源出力部６０ｇは、睡眠深さ演算部６０ｂによって演算された睡眠深さが、規定睡眠深さよりも深い場合に（図１０のステップＳ１３２：ＹＥＳ）、音源記憶部６０ｆに記憶された覚醒用音源を、覚醒用信号よりも小さい出力レベルの熟睡阻害用信号として、骨伝導スピーカ４に出力する（図１０のステップＳ１３３）。これにより、ユーザｕがマット５１（ユーザ支持部）に横臥して仮眠する場合に、ユーザｕが覚醒すること無く、ユーザｕの睡眠深さが規定睡眠深さよりも深くなることが抑制される。このため、ユーザｕが覚醒した時に、ユーザｕの自立神経がスムーズに副交感神経から交換神経に切り換わる。よって、仮眠から目覚めたユーザｕが、仕事等の活動をスムーズに開始することができる。また、ユーザｕが仮眠する場合に、ユーザｕの睡眠深さが規定睡眠深さよりも深くなった後に覚醒することに起因するユーザｕが覚える不快感を抑制することができ、ユーザｕは心地よく覚醒することができる。
【００７９】
外部入力ケーブル７は、ケーブル７ｂ、配線集合部６、及び信号線４ｂを介して、骨伝導スピーカ４の振動発生部４ａに接続され、音声信号を出力する外部機器の出力端子に着脱可能に接続する。これにより、ユーザは、任意の音声信号を出力する外部機器と骨伝導スピーカ内蔵枕１０とを接続することができる。このため、ユーザは、任意の音声を骨伝導スピーカ４を介して聞くことができる。
【００８０】
（別の実施形態）
上記説明した実施形態では、骨伝導スピーカ内蔵睡眠装置１００のうち、ユーザｕの身体を支持するユーザ支持部は、マット５１である。しかし、図１２に示すように、ユーザｕの身体を支持するユーザ支持部が椅子８０である実施形態の骨伝導スピーカ内蔵睡眠装置２００であっても差し支え無い。なお、図１２において、左側を骨伝導スピーカ内蔵睡眠装置２００の前方、右側を骨伝導スピーカ内蔵睡眠装置２００の後方とする。椅子８０は、例えばソファーであり、本体部８１、背もたれ部８２、及び足置き部８３とから構成され、着座したユーザｕの身体を支持する。本体部８１は、ユーザｕの腰部から背中の下部を支持する。本体部８１に、生体情報検出センサ５３及び振動発生装置５４が設けられている。背もたれ部８２は、本体部８１の後部に接続している。背もたれ部８２は、ユーザｕの背中及び頭部を支持する。椅子８０の背もたれ部８２の上部には、骨伝導スピーカ内蔵枕１０が設けられている。足置き部８３は、本体部８１の前部に接続している。足置き部８３は、ユーザｕの脚部を支持する。
【００８１】
音源記憶部６０ｆが、入眠促進用音源や覚醒用音源が記憶された音楽ＣＤや、フラッシュメモリー等の記憶媒体である実施形態であっても差し支え無い。この実施形態では、音源出力部６０ｇは、音源記憶部６０ｆである記憶媒体から、入眠促進用音源や覚醒用音源を読み取る。この実施形態では、ユーザｕは、ユーザｕが好む任意の入眠促進用音源や覚醒用音源が記憶された記憶媒体を選択することができる。
【００８２】
生体情報検出センサ５３がユーザｕの呼吸を検出できる実施形態である場合において、生体情報検出センサ５３によってユーザｕの無呼吸が検出された場合に、音源出力部６０ｇが覚醒用信号を骨伝導スピーカ４や振動発生装置５４に出力する実施形態であっても差し支え無い。この実施形態では、ユーザｕが無呼吸となった場合に、ユーザｕの無呼吸が解消される。
【００８３】
骨伝導スピーカ内蔵睡眠装置１００、２００に、音を発生させるスピーカが設けられている実施形態でも差し支え無い。この実施形態では、図９のステップＳ３５、Ｓ４５、図１１のステップＳ１４４において、音源出力部６０ｇが、音源記憶部６０ｆに記憶された覚醒用音源を覚醒用信号として、上記スピーカに出力する処理を開始する。
【００８４】
上記説明の実施形態では、複数の骨伝導スピーカ４は、複数の第二柱状部材３の収納凹部３ａに設けられている。しかし、１つの骨伝導スピーカ４が、単一の第二柱状部材３の収納凹部３ａに設けられている実施形態であっても差し支え無い。
或いは、ベース部材１に、複数の第二柱状部材３のみが設けられ、複数の骨伝導スピーカ４が、複数の第二柱状部材３の全部の上部に形成された収納凹部３ａに設けられている実施形態であっても差し支え無い。
【００８５】
上記の説明の実施形態では、第一柱状部材２及び第二柱状部材３は円柱形状である。しかし、第一柱状部材２及び第二柱状部材３は柱状であればよい。以下に、図１３Ａ〜図１３Ｅを用いて、第一柱状部材２及び第二柱状部材３の別例を示す。なお、図１３Ａ〜図１３Ｅにおいては、第二柱状部材３の別例のみを表し、収納凹部３ａ、収納凹部３ａの周壁３ａ２、及び信号線用凹部３ｂについては、上記説明した第二柱状部材３と同じ符号を付している。例えば、図１３Ａに示すように、第一柱状部材や第二柱状部材１０３が、四角柱形状であっても差し支え無い。或いは、図１３Ｂに示すように、第一柱状部材や第二柱状部材２０３が、四角錐台形状等の多角錐台形状であっても差し支え無い。或いは、図１３Ｃに示すように、第一柱状部材や第二柱状部材３０３が、三角柱形状であっても差し支え無い。或いは、図１３Ｄに示すように、第一柱状部材や第二柱状部材４０３が、樽型形状であっても差し支え無い。或いは、図１３Ｅに示すように、第一柱状部材や第二柱状部材５０３が、円錐台形状であっても差し支え無い。
【符号の説明】
【００８６】
１…ベース部材、２…第一柱状部材、３…第二柱状部材、３ａ…収納凹部、４…骨伝導スピーカ、５１…マット（ユーザ支持部）、５３…生体情報検出センサ（生体情報検出部）、６０…制御部、６０ｂ…睡眠深さ演算部、６０ｃ…睡眠判断部、６０ｄ…起床時刻到達判断部、６０ｆ…音源記憶部、６０ｇ…音源出力部、８０…椅子（ユーザ支持部）、１００…第一実施形態の骨伝導スピーカ内蔵睡眠装置、２００…第二実施形態の骨伝導スピーカ内蔵睡眠装置
【図１】
2018015450.tif 000003
【図２】
2018015450.tif 000004
【図３】
2018015450.tif 000005
【図４】
2018015450.tif 000006
【図５】
2018015450.tif 000007
【図６】
2018015450.tif 000008
【図７】
2018015450.tif 000009
【図８】
2018015450.tif 000010
【図９】
2018015450.tif 000011
【図１０】
2018015450.tif 000012
【図１１】
2018015450.tif 000013
【図１２】
2018015450.tif 000014
【図１３Ａ】
2018015450.tif 000015
【図１３Ｂ】
2018015450.tif 000016
【図１３Ｃ】
2018015450.tif 000017
【図１３Ｄ】
2018015450.tif 000018
【図１３Ｅ】
2018015450.tif 000019